(57)【要約】【課題】    内部温度の上昇を抑制できるプロジェクタを提供する。【解決手段】プロジェクタは、光源装置２を駆動する電源スイッチング装置２１およびＬＥＤ電源２２と、外部から入力する画像情報の少なくとも１フレームを記憶するフレームメモリ７３と、フレームメモリ７３に記憶された少なくとも１フレームの画像情報における輝度値に関する輝度値情報を算出する輝度値情報算出部７２２と、輝度値情報算出部７２２にて算出された輝度値情報に基づいて、電源スイッチング装置２１に光源装置２の輝度を調整させる光源駆動制御部７２３とを備える。【選択図】 図２
2005189324.tif 000002
【特許請求の範囲】
【請求項１】
光源装置と、前記光源装置から射出される光束を画像情報に応じて変調して光学像を形成する電気光学装置と、前記電気光学装置にて形成された光学像を拡大投射する投射光学装置とを備えたプロジェクタであって、
前記光源装置を駆動する光源駆動部と、
外部から入力する前記画像情報の少なくとも１フレームを記憶する記憶部と、
前記記憶部に記憶された前記少なくとも１フレームの画像情報における輝度値に関する輝度値情報を算出する輝度値情報算出部と、
前記輝度値情報算出部にて算出された輝度値情報に基づいて、前記光源駆動部に前記光源装置の輝度を調整させる駆動制御部とを備えていることを特徴とするプロジェクタ。
【請求項２】
光源装置と、前記光源装置から射出される光束を画像情報に応じて変調して光学像を形成する電気光学装置と、前記電気光学装置にて形成された光学像を拡大投射する投射光学装置とを備えたプロジェクタであって、
前記光源装置を駆動する光源駆動部と、
前記画像情報、および前記画像情報における少なくとも１フレーム毎の輝度値に関する輝度値情報を関連付けて記憶する記憶部と、
前記記憶部に記憶された輝度値情報に基づいて、前記光源駆動部に前記光源装置の輝度を調整させる駆動制御部とを備えていることを特徴とするプロジェクタ。
【請求項３】
請求項１または請求項２に記載のプロジェクタにおいて、
前記光源装置および／または前記電気光学装置近傍に配置され、前記光源装置および／または前記電気光学装置の温度を検出する温度検出部を備え、
前記駆動制御部は、前記温度検出部にて検出された検出温度と、所定の温度閾値とを比較し、前記検出温度が前記温度閾値を超えた場合に、前記輝度値情報に基づいて前記光源駆動部に前記光源装置の輝度を調整させることを特徴とするプロジェクタ。
【請求項４】
請求項１から請求項３のいずれかに記載のプロジェクタにおいて、
前記光源装置は、固体発光素子を含んで構成され、
前記光源駆動部は、前記固体発光素子を間欠点灯駆動し、
前記駆動制御部は、前記輝度値情報に基づいて、前記固体発光素子を間欠点灯駆動する際のデューティ比を前記光源駆動部に変更させて前記光源装置の輝度を調整させることを特徴とするプロジェクタ。
【発明の詳細な説明】
【技術分野】
【０００１】
本発明は、プロジェクタに関する。
【背景技術】
【０００２】
従来、光源から射出された光束を画像情報に応じて変調して光学像を形成し、この形成した光学像をスクリーン上に拡大投射して表示するプロジェクタが知られている（例えば、特許文献１参照）。
このプロジェクタは、光束を射出する光源装置と、この光源装置から射出された光束を画像情報に応じて変調して光学像を形成する電気光学装置と、この電気光学装置にて形成した光学像を拡大投射する投射光学装置と、プロジェクタ全体を制御する制御部とを備えている。
このうち、制御部は、入力した画像情報に対して所定の処理を施し、処理を施した画像情報に応じて電気光学装置を駆動制御するとともに、プロジェクタ内部の異常状態を検出し、プロジェクタの駆動を停止する制御を実施している。
【０００３】
【特許文献１】特開平９−１３０７００号公報
【発明の開示】
【発明が解決しようとする課題】
【０００４】
特許文献１に記載のプロジェクタでは、制御部は入力した画像情報に応じた光源装置の光量制御を実施しない。このため、光源装置は常に一定の光量を有する光束を電気光学装置に対して照射している。このような構成では、投影画像の明るさは、全て電気光学装置にて制御しており、例えば、暗い投影画像を表示する場合では電気光学装置にて遮断する光量を多くすることで対応している。したがって、電気光学装置にて遮断された光が熱に変換され、電気光学装置自体の発熱量が大きいものとなる。また、暗い投影画像を表示する場合であっても光源装置から射出される光束の光量が一定であるため、光源装置自体の発熱量も大きいものとなる。
したがって、特許文献１に記載のプロジェクタでは、電気光学装置自体の発熱量、および光源装置自体の発熱量により、該プロジェクタ内部の温度が上昇しやすい、という問題がある。
【０００５】
本発明の目的は、内部温度の上昇を抑制できるプロジェクタを提供することにある。
【課題を解決するための手段】
【０００６】
本発明のプロジェクタは、光源装置と、前記光源装置から射出される光束を画像情報に応じて変調して光学像を形成する電気光学装置と、前記電気光学装置にて形成された光学像を拡大投射する投射光学装置とを備えたプロジェクタであって、前記光源装置を駆動する光源駆動部と、外部から入力する前記画像情報の少なくとも１フレームを記憶する記憶部と、前記記憶部に記憶された前記少なくとも１フレームの画像情報における輝度値に関する輝度値情報を算出する輝度値情報算出部と、前記輝度値情報算出部にて算出された輝度値情報に基づいて、前記光源駆動部に前記光源装置の輝度を調整させる駆動制御部とを備えていることを特徴とする。
ここで、画像情報のフレームとは、表示する画面に相当する画像情報である。すなわち、画像情報の１フレームとは、１画面に相当する画像情報である。
本発明では、プロジェクタは、光源駆動部と、記憶部と、輝度値情報算出部と、駆動制御部とを備える。記憶部は、外部から入力する画像情報の少なくとも１フレームを順次記憶する。また、輝度値情報算出部は、記憶部に順次記憶される少なくとも１フレーム分の画像情報における輝度値に関する輝度値情報を逐次算出する。そして、駆動制御部は、輝度値情報算出部にて逐次算出された輝度値情報に基づいて光源駆動部に光源装置の輝度を調整させる。このことにより、表示する投影画像の明るさに応じて光源装置の輝度制御が実施できる。例えば、暗い投影画像を表示する場合には光源装置の輝度を低減することで、電気光学装置にて遮断される光量を少なくすることができ、電気光学装置自体の発熱量を低減できる。また、表示する投影画像の明るさに応じて光源装置の輝度制御を実施することで、光源装置自体の発熱量を低減可能な構成となる。したがって、光源装置自体および電気光学装置自体の双方の発熱量を低減可能な構成となり、プロジェクタ内部の温度上昇を抑制できる。
【０００７】
本発明のプロジェクタは、光源装置と、前記光源装置から射出される光束を画像情報に応じて変調して光学像を形成する電気光学装置と、前記電気光学装置にて形成された光学像を拡大投射する投射光学装置とを備えたプロジェクタであって、前記光源装置を駆動する光源駆動部と、前記画像情報、および前記画像情報における少なくとも１フレーム毎の輝度値に関する輝度値情報を関連付けて記憶する記憶部と、前記記憶部に記憶された輝度値情報に基づいて、前記光源駆動部に前記光源装置の輝度を調整させる駆動制御部とを備えていることを特徴とする。
ここで、画像情報のフレームとは、上記同様に、表示する画面に相当する画像情報である。すなわち、画像情報の１フレームとは、上記同様に、１画面に相当する画像情報である。
本発明では、プロジェクタは、光源駆動部と、記憶部と、駆動制御部とを備える。記憶部は、所定の画像情報と、該画像情報における少なくとも１フレーム毎の輝度値に関する輝度値情報を関連付けて記憶する。そして、駆動制御部は、記憶部に記憶された輝度値情報を順次読み出し、読み出した輝度値情報に基づいて光源駆動部に光源装置の輝度を調整させる。このことにより、上述したプロジェクタと同様に、表示する投影画像の明るさに応じて光源装置の輝度制御が実施でき、光源装置自体および電気光学装置自体の双方の発熱量を低減可能な構成となり、プロジェクタ内部の温度上昇を抑制できる。
また、上述したプロジェクタと比較して、輝度値情報算出部を省略できる構成となり、光源装置の輝度制御を実施する際の処理の負荷を低減できる。
【０００８】
本発明のプロジェクタでは、前記光源装置および／または前記電気光学装置近傍に配置され、前記光源装置および／または前記電気光学装置の温度を検出する温度検出部を備え、前記駆動制御部は、前記温度検出部にて検出された検出温度と、所定の温度閾値とを比較し、前記検出温度が前記温度閾値を超えた場合に、前記輝度値情報に基づいて前記光源駆動部に前記光源装置の輝度を調整させることが好ましい。
本発明では、プロジェクタは、温度検出部を備える。そして、駆動制御部は、温度検出部にて検出された検出温度が所定の温度閾値を超えた場合に、輝度値情報に基づいて光源駆動部に光源装置の輝度を調整させる。このことにより、光源装置および／または電気光学装置の温度がプロジェクタ内部の温度上昇に寄与する影響が少ない場合には光源装置の輝度制御を実施せず、逆に、プロジェクタ内部の温度上昇に寄与する影響が大きい場合に光源装置の輝度制御を実施する構成とすることで、光源装置の輝度制御を実施する際の処理の負荷を低減できる。
【０００９】
本発明のプロジェクタでは、前記光源装置は、固体発光素子を含んで構成され、前記光源駆動部は、前記固体発光素子を間欠点灯駆動し、前記駆動制御部は、前記輝度値情報に基づいて、前記固体発光素子を間欠点灯駆動する際のデューティ比を前記光源駆動部に変更させて前記光源装置の輝度を調整させることが好ましい。
ここで、固定発光素子としては、例えば、発光ダイオード素子や、半導体レーザが例示できる。
また、デューティ比は、光源装置を間欠点灯させる際の単位時間当りの点灯時間と、単位時間当りの消灯時間との比率である。
本発明によれば、光源装置が固体発光素子を含んで構成されているので、高圧水銀ランプやメタルハライドランプ等の光源装置と比較して、駆動時の発熱量が小さくて済み、光源装置の温度上昇をさらに抑制可能な構成となり、プロジェクタ内部の温度上昇をさらに抑制可能とする。また、間欠点灯駆動させる際のデューティ比を変更することで光源装置の輝度を調整するので、駆動制御部による光源装置の輝度制御を容易に実施することが可能な構成となる。さらに、光源装置の駆動時の消費電力が小さくて済む。さらにまた、光源装置の小型化および軽量化を図れ、ひいてはプロジェクタの小型化および軽量化を図れる。
【発明を実施するための最良の形態】
【００１０】
以下、本発明の実施の一形態を図面に基づいて説明する。
〔プロジェクタの構成〕
図１は、本実施形態に係るプロジェクタ１の概略構成を模式的に示す図である。
プロジェクタ１は、光源から射出される光束を画像情報に応じて変調して光学像を形成し、形成した光学像をスクリーン上に拡大投射するものである。このプロジェクタ１は、光源装置２と、３つの偏光変換装置３と、３つの電気光学装置４と、色合成光学装置としてのクロスダイクロイックプリズム５と、投射光学装置としての投射レンズ６と、ここでは図示しない制御装置とを備える。
【００１１】
光源装置２は、後述する制御装置による制御の下、点灯および消灯を繰り返す間欠点灯を実施し、偏光変換装置３に向けて光束を射出する。この光源装置２は、図１に示すように、Ｒ色光を射出するＲ色光用ＬＥＤ（Light Emitting Diode）モジュール２Ｒと、Ｇ色光を射出するＧ色光用ＬＥＤモジュール２Ｇと、Ｂ色光を射出するＧ色光用ＬＥＤモジュール２Ｂとで構成される。
これらＬＥＤモジュール２Ｒ，２Ｇ，２Ｂは、略同様の構成であり、具体的な図示は省略するが、Ｓｉ基板上に固体発光素子である複数のＬＥＤ素子が配列形成されている。なお、ＬＥＤモジュール２Ｒ，２Ｇ，２Ｂを構成するＬＥＤ素子は、結晶の種類および添加物等が異なるように形成されたものであり、それぞれＲ色光、Ｇ色光、Ｂ色光を発する。また、これらＬＥＤモジュール２Ｒ，２Ｇ，２Ｂには、後述する制御装置からの駆動信号に応じて前記各ＬＥＤ素子に駆動電圧を印加する光源駆動回路が形成されている。
【００１２】
また、これらＬＥＤモジュール２Ｒ，２Ｇ，２Ｂには、各ＬＥＤ素子の過熱状態を検出するために、サーミスタ等からなる温度検出部としての温度検出センサ２０が設けられている。具体的には、温度検出センサ２０は、各ＬＥＤモジュール２Ｒ，２Ｇ，２Ｂに対応して、該ＬＥＤモジュール２Ｒ，２Ｇ，２Ｂと接するように、Ｒ色光用温度検出センサ２０Ｒ、Ｇ色光用温度検出センサ２０Ｇ、およびＢ色光用温度検出センサ２０Ｂで構成されている。
なお、本実施形態では、温度検出センサ２０を各ＬＥＤモジュール２Ｒ，２Ｇ，２Ｂにそれぞれ接するように設けているが、勿論、温度検出センサ２０を設ける位置はこれに限らず、ＬＥＤモジュール２Ｒ，２Ｇ，２Ｂの近傍であればいずれの位置に設けても構わない。
【００１３】
偏光変換装置３は、光源装置２から射出される各色光に応じて３つの偏光変換装置３Ｒ，３Ｇ，３Ｂで構成され、光源装置２から射出された各色光の偏光方向を略一方向の直線偏光に揃える。
これら偏光変換装置３Ｒ，３Ｇ，３Ｂは、図示を略したが、照明光軸に対して傾斜配置される偏光分離膜および反射ミラーを交互に配列した構成を具備する。偏光分離膜は、各色光に含まれるＰ偏光光束およびＳ偏光光束のうち、一方の偏光光束を透過し、他方の偏光光束を反射する。反射された他方の偏光光束は、反射ミラーによって曲折され、一方の偏光光束の射出方向、すなわち照明光軸に沿った方向に射出される。射出された偏光光束のいずれかは、偏光変換装置３Ｒ，３Ｇ，３Ｂの光束射出面に設けられる位相差板によって偏光変換され、略全ての偏光光束の偏光方向が揃えられる。このような偏光変換装置３Ｒ，３Ｇ，３Ｂを用いることにより、光源装置２から射出される光束を、略一方向の偏光光束に揃えることができるため、電気光学装置４で利用する光源光の利用率を向上することができる。
本実施形態では、偏光変換装置３Ｒ，３ＢはＲ色光用ＬＥＤモジュール２ＲおよびＢ色光用ＬＥＤモジュール２Ｂから射出されるＲ，Ｂ色光をＰ偏光光束に揃えて射出し、偏光変換装置３ＧはＧ色光用ＬＥＤモジュール２Ｇから射出される色光をＳ偏光光束に揃えて射出する。
【００１４】
電気光学装置４は、偏光変換装置３Ｒ，３Ｇ，３Ｂから射出される各色光に応じて３つの電気光学装置４Ｒ，４Ｇ，４Ｂで構成され、後述する制御装置７による制御の下、入力する画像信号の階調レベルに応じて偏光変換装置３Ｒ，３Ｇ，３Ｂから射出された光束の光透過率を変化させることで入射した色光を変調して光学像を形成する。これら電気光学装置４は、３つの入射側偏光板４１Ｒ，４１Ｇ，４１Ｂと、３つの液晶パネルモジュール４２Ｒ，４２Ｇ，４２Ｂと、３つの射出側偏光板４３Ｒ，４３Ｇ，４３Ｂとを備える。
入射側偏光板４１Ｒ，４１Ｇ，４１Ｂは、偏光変換装置３で偏光方向が略一方向に揃えられた各色光が入射され、入射された光束のうち、偏光変換装置３で揃えられた光束の偏光軸と略同一方向の偏光光のみ透過させ、その他の光束を吸収するものである。すなわち、入射側偏光板４１Ｒ，４１Ｂは偏光変換装置３Ｒ，３Ｂから射出されるＰ偏光光束を透過させ、入射側偏光板４１Ｇは偏光変換装置３Ｇから射出されるＳ偏光光束を透過させる。これら入射側偏光板４１Ｒ，４１Ｇ，４１Ｂは、例えば、サファイアガラスまたは水晶等の基板上に偏光膜が貼付された構成を有している。
【００１５】
射出側偏光板４３Ｒ，４３Ｇ，４３Ｂは、入射側偏光板４１Ｒ，４１Ｇ，４１Ｂと略同様の構成であり、液晶パネルモジュール４２Ｒ，４２Ｇ，４２Ｂから射出された光束のうち、入射側偏光板４１Ｒ，４１Ｇ，４１Ｂにおける光束の透過軸と直交する偏光軸を有する光束のみ透過させ、その他の光束を吸収するものである。すなわち、射出側偏光板４３Ｒ，４３ＢはＳ偏光光束を透過させ、射出側偏光板４３ＧはＰ偏光光束を透過させる。
液晶パネルモジュール４２Ｒ，４２Ｇ，４２Ｂは、具体的な図示は省略するが、一対の透明なガラス基板に電気光学物質である液晶を密閉封入した液晶パネルと、後述する制御装置から出力される画像信号を入力し、前記液晶パネルに画像に応じた所定の駆動電圧を前記液晶パネルに印加する液晶パネル駆動用ＩＣ（Integrated Circuit）とで構成されている。そして、液晶パネルモジュール４２Ｒ，４２Ｇ，４２Ｂは、例えば、前記液晶パネル駆動用ＩＣから与えられた駆動電圧にしたがって、前記液晶パネルの液晶の配向状態が制御され、入射側偏光板４１Ｒ，４１Ｇ，４１Ｂから射出された偏光光束の偏光方向を変調する。
そして、光源装置２から射出された光束の光量に対する、電気光学装置４を透過した光束の光量の比率によって前記光透過率が規定される。
【００１６】
クロスダイクロイックプリズム５は、各電気光学装置４Ｒ，４Ｇ，４Ｂから射出された色光毎に変調された光学像を合成してカラー画像を形成する光学素子である。このクロスダイクロイックプリズム５は、４つの直角プリズム５１を貼り合わせた平面視略正方形状をなし、直角プリズム５１同士を貼り合わせた界面には、誘電体多層膜５２Ａ，５２Ｂが形成されている。誘電体多層膜５２Ａは、電気光学装置４Ｒから射出されたＳ偏光光束を反射し、電気光学装置４Ｇから射出されたＰ偏光光束を透過する。また、誘電体多層膜５２Ｂは、電気光学装置４Ｂから射出されたＳ偏光光束を反射し、電気光学装置４Ｇから射出されたＰ偏光光束を透過する。このようにして、各電気光学装置４Ｒ，４Ｇ，４Ｂから射出された３つの色光が合成される。
投射レンズ６は、クロスダイクロイックプリズム５にて形成したカラー画像をスクリーン１００上に拡大投射するものであり、複数のレンズが組み合わされた組レンズとして構成され、鏡筒内に収納されている。
【００１７】
〔制御装置の構造〕
図２は、制御装置７による光源装置２および電気光学装置４の制御構造を示すブロック図である。
制御装置７は、電源スイッチング装置２１を制御してＬＥＤモジュール２Ｒ，２Ｇ，２Ｂの輝度制御を実施するとともに、外部機器から入力した画像信号に対して所定の処理を施し、この処理を施した画像信号に応じて液晶パネルモジュール４２Ｒ，４２Ｇ，４２Ｂを駆動制御する。この制御装置７は、図２に示すように、映像信号入力部７１と、制御部７２と、記憶部としてのフレームメモリ７３とを備える。
ここで、電源スイッチング装置２１は、ＬＥＤ電源２２から供給される電力を、所定のデューティ比を有するＯＮ／ＯＦＦ信号となるように切り替えて、この切り替えたＯＮ／ＯＦＦ信号（駆動信号）を光源装置２の各ＬＥＤモジュール２Ｒ，２Ｇ，２Ｂに出力する。そして、各ＬＥＤモジュール２Ｒ，２Ｇ，２Ｂは、入力したＯＮ／ＯＦＦ信号のデューティ比にしたがって間欠点灯駆動する。
すなわち、電源スイッチング装置２１およびＬＥＤ電源２２は、本発明に係る光源駆動部に相当する。
【００１８】
映像信号入力部７１は、各種外部機器から出力される映像信号を入力する部分である。この映像信号入力部７１は、図２に示すように、第１入力部７１１と、第２入力部７１２と、第３入力部７１３とを備える。
第１入力部７１１は、パーソナルコンピュータから出力された複数の画像信号が与えられる部分であり、図２に示すように、第１ビデオセレクタ７１１Ａと、ＡＤＣ（Analog to Digital Converter）７１１Ｂとを備える。
第１ビデオセレクタ７１１Ａは、制御部７２から与えられる選択信号に応じて、入力した複数の画像信号のうちの１つを選択して出力する。この第１ビデオセレクタ７１１Ａから出力される画像信号には、赤（Ｒ）、緑（Ｇ）、青（Ｂ）の３色のアナログ画像信号と、水平同期信号および垂直同期信号とが含まれている。このような画像信号は、コンポーネント信号と呼ばれる。
ＡＤＣ７１１Ｂは、第１ビデオセレクタ７１１Ａから出力される３つのアナログ画像信号を該ＡＤＣ７１１Ｂ内のＡＤ変換回路によってそれぞれデジタル画像信号に変換する。そして、このデジタル画像信号は、制御部７２を介してフレームメモリ７３に一時的に記録される。なお、この記録されるデジタル画像信号は、ＡＤＣ７１１Ｂから出力されるデジタル画像信号に応じて順次書き換えられる。
【００１９】
第２入力部７１２は、ビデオレコーダやテレビ等から出力された複数のビデオ信号が与えられる部分であり、図２に示すように、第２ビデオセレクタ７１２Ａと、ビデオデコーダ７１２Ｂとを備える。
第２ビデオセレクタ７１２Ａは、制御部７２から与えられる選択信号に応じて、入力した複数のビデオ信号のうちの１つを選択して出力する。これらのビデオ信号は、輝度信号と色信号と同期信号とが重畳された画像信号で、コンポジット信号と呼ばれる。
ビデオデコーダ７１２Ｂは、第２ビデオセレクタ７１２Ａから出力されるコンポジット信号から水平同期信号および垂直同期信号を分離するとともに、Ｒ，Ｇ，Ｂの３つのデジタル画像信号に変換する。そして、このデジタル画像信号は、制御部７２を介してフレームメモリ７３に一時的に記録される。なお、この記録されるデジタル画像信号は、ビデオデコーダ７１２Ｂから出力されるデジタル画像信号に応じて順次書き換えられる。
【００２０】
第３入力部７１３は、ＴＭＤＳ（Transition Minimized Differential Signaling）方式等の伝送方式によるデジタル画像信号およびクロック信号を入力するための専用レシーバである。すなわち、この第３入力部７１３により、外部機器からデジタル画像信号をそのまま入力可能としている。
【００２１】
制御部７２は、ＣＰＵ（Central Processing Unit）等の演算処理装置から構成され、図示しないＲＯＭ（Read Only Memory）等に格納される制御プログラムを読み込んで実行するものであり、ＬＥＤモジュール２Ｒ，２Ｇ，２Ｂの輝度制御、液晶パネルモジュール４２Ｒ，４２Ｇ，４２Ｂの駆動制御を実施する機能を有している。この制御部７２は、図２に示すように、センサ信号受付部７２１と、輝度値情報算出部７２２と、駆動制御部としての光源駆動制御部７２３と、電気光学装置駆動制御部７２４とを備える。
センサ信号受付部７２１は、Ｒ，Ｇ，Ｂ色光用の各温度検出センサ２０Ｒ，２０Ｇ，２０Ｂで検出された各温度センサ信号を受け付ける部分であり、これらの温度検出センサ２０Ｒ，２０Ｇ，２０Ｂで検出された各温度センサ信号は、デジタル信号に変換されてセンサ信号受付部７２１で受け付けられる。そして、センサ信号受付部７２１は、各温度検出センサ２０Ｒ，２０Ｇ，２０Ｂで検出された各温度に対応するデジタル信号を光源駆動制御部７２３に出力する。
【００２２】
輝度値情報算出部７２２は、フレームメモリ７３に順次記憶される１フレーム（画面）分のデジタル画像信号を読み出し、該１フレーム分のデジタル画像信号における輝度値に関する輝度値情報を算出する。この輝度値情報の算出は、例えば、１フレーム内におけるデジタル画像信号の最高輝度値および最低輝度値に基づいて、１フレーム内の平均輝度値を算出する。そして、算出した平均輝度値に応じた信号を光源駆動制御部７２３に出力する。
光源駆動制御部７２３は、輝度値情報算出部７２２にて算出された輝度値情報に基づいて、各ＬＥＤモジュール２Ｒ，２Ｇ，２Ｂの輝度を調整する旨の制御指令を電源スイッチング装置２１に出力し、ＯＮ／ＯＦＦ信号に切り替える際のデューティ比を電源スイッチング装置２１に変更させる。すなわち、光源駆動制御部７２３は、各ＬＥＤモジュール２Ｒ，２Ｇ，２Ｂの輝度制御を実施する。なお、本実施形態では、この光源駆動制御部７２３は、センサ信号受付部７２１で受け付けられた各温度センサ信号に対応する各ＬＥＤモジュール２Ｒ，２Ｇ，２Ｂの温度に基づいて、各ＬＥＤモジュール２Ｒ，２Ｇ，２Ｂの輝度制御を実施する。
【００２３】
電気光学装置駆動制御部７２４は、映像信号入力部７１から出力されフレームメモリ７３に順次記憶されるデジタル画像信号を適宜読み出して、読み出したデジタル画像信号に対して所定の処理を施し、処理を施した画像に対応する画像信号を電気光学装置４の各液晶パネルモジュール４２Ｒ，４２Ｇ，４２Ｂに出力して所定の光学像を形成させる。この電気光学装置駆動制御部７２４における前記所定の処理としては、例えば、拡大・縮小等の画像サイズ調整処理、台形歪補正処理、画質調整処理、ガンマ補正処理等がある。これら各処理は、周知の技術であるので詳細な説明は省略する。
【００２４】
フレームメモリ７３は、書換可能であるＳＲＡＭ（Static Random Access Memory）等で構成され、上述したように外部機器から出力され、映像信号入力部７１を介したデジタル画像信号を順次記録する。このように、外部機器から出力される画像信号は、フレーム毎にフレームメモリ７３に一時的に記録され、この記録されたフレーム毎の画像信号に基づいて制御部７２の電気光学装置駆動制御部７２４が所定の処理を施し、施した画像信号に基づいて液晶パネルモジュール４２Ｒ，４２Ｇ，４２Ｂを駆動制御している。
【００２５】
次に、制御装置７による光源装置２の制御動作を説明する。
図３は、制御装置７による制御動作を説明するためのフローチャートである。
ユーザによるリモートコントローラ等の入力操作によりプロジェクタ１を起動する旨の信号を電源スイッチング装置２１が入力すると、電源スイッチング装置２１は、所定のデューティ比を有するＯＮ／ＯＦＦ信号を各ＬＥＤモジュール２Ｒ，２Ｇ，２Ｂに出力する。そして、各ＬＥＤモジュール２Ｒ，２Ｇ，２Ｂを構成する各光源駆動回路は、ＯＮ／ＯＦＦ信号に対応した駆動電圧を各ＬＥＤ素子に印加し、各ＬＥＤ素子は、該駆動電圧に応じて所定のデューティ比にてＯＮ、ＯＦＦの間欠点灯を実施する。
また、制御部７２の電気光学装置駆動制御部７２４は、映像信号入力部７１を介して外部機器から入力しフレームメモリ７３に順次記憶される画像信号を適宜読み出して、読み出した画像信号に対して所定の処理を施し、処理を施した画像信号を各液晶パネルモジュール４２Ｒ，４２Ｇ，４２Ｂに出力する。そして、各液晶パネルモジュール４２Ｒ，４２Ｇ，４２Ｂを構成する各液晶パネル駆動ＩＣは、入力した画像信号に対応する駆動信号を各液晶パネルに出力し、各ＬＥＤ素子から射出された光束を変調する。
【００２６】
このような状態において、各温度検出センサ２０Ｒ，２０Ｇ，２０Ｂは、各ＬＥＤモジュール２Ｒ，２Ｇ，２Ｂの温度を検出する（処理Ｓ１）。そして、各温度検出センサ２０Ｒ，２０Ｇ，２０Ｂは、検出した各温度に対応する各温度センサ信号を制御装置７に出力する。なお、各温度検出センサ２０Ｒ，２０Ｇ，２０Ｂは、例えば、所定時間毎に各ＬＥＤモジュール２Ｒ，２Ｇ，２Ｂの温度を検出し、検出した温度に対応する各温度センサ信号を逐次、制御装置７に出力するものとする。
この後、制御装置７の光源駆動制御部７２３は、入力した各温度センサ信号に対応する各ＬＥＤモジュール２Ｒ，２Ｇ，２Ｂの温度を認識する。そして、光源駆動制御部７２３は、認識した各温度と、所定の温度閾値とを比較し、認識した各温度のうちのいずれかが温度閾値を超えたか否かを判定する（処理Ｓ２）。
【００２７】
ここで、処理Ｓ２において、「Ｎ」と判定した場合、すなわち、認識した各温度のうちのいずれの温度も温度閾値を超えていないと判定した場合には、再度、処理Ｓ１に戻る。すなわち、認識した各温度のうちのいずれかの温度が温度閾値を超えるまでは、各ＬＥＤモジュール２Ｒ，２Ｇ，２Ｂの輝度制御を実施しない。
一方、処理Ｓ２において、「Ｙ」と判定した場合、すなわち、認識した各温度のうちのいずれかの温度が温度閾値を超えたと判定した場合には、輝度値情報算出部７２２は、フレームメモリ７３に記憶され、電気光学装置駆動制御部７２４に読み出される前の１フレーム分の画像信号を読み出す（処理Ｓ３）。
そして、輝度値情報算出部７２２は、読み出した１フレーム分の画像信号の最高輝度値および最低輝度値に基づいて、１フレーム内の平均輝度値を算出する（処理Ｓ４）。この算出した平均輝度値に対応する信号は、光源駆動制御部７２３に出力される。
【００２８】
処理Ｓ４の後、光源駆動制御部７２３は、輝度値情報算出部７２２から出力された信号を入力し、該信号に基づく平均輝度値に基づいて各ＬＥＤモジュール２Ｒ，２Ｇ，２Ｂの輝度を調整する旨の制御指令を電源スイッチング装置２１に出力し、ＯＮ／ＯＦＦ信号に切り替える際のデューティ比を電源スイッチング装置２１に変更させる（処理Ｓ５）。例えば、光源駆動制御部７２３は、１フレームに対応する平均輝度値が小さい場合、すなわち、暗い表示を実施する際には、輝度を小さくする（デューティ比を小さくする）旨の制御指令を電源スイッチング装置２１に出力する。また、逆に、１フレームに対応する平均輝度値が大きい場合、すなわち、明るい表示を実施する際には、輝度を大きくする（デューティ比を大きくする）旨の制御指令を電源スイッチング装置２１に出力する。
【００２９】
そして、電源スイッチング装置２１は、光源駆動制御部７２３からの制御指令に応じてＯＮ／ＯＦＦ信号に切り替える際のデューティ比を変更し、変更したＯＮ／ＯＦＦ信号を各ＬＥＤモジュール２Ｒ，２Ｇ，２Ｂに出力し、各ＬＥＤモジュール２Ｒ，２Ｇ，２Ｂは、このＯＮ／ＯＦＦ信号に応じたデューティ比にて間欠点灯する。
また、電気光学装置駆動制御部７２４は、フレームメモリ７３に記憶され、輝度値情報算出部７２２にて読み出された１フレーム分の画像信号を順次読み出して、読み出した画像信号に対して所定の処理を施し、処理を施した画像信号により各液晶パネルモジュール４２Ｒ，４２Ｇ，４２Ｂが駆動し、各液晶パネルモジュール４２Ｒ，４２Ｇ，４２Ｂにて前記各ＬＥＤモジュール２Ｒ，２Ｇ，２Ｂの間欠点灯により射出される光束が変調される。
そして、以上のような処理Ｓ１〜Ｓ５が繰り返し実施される。
【００３０】
以上の第１実施形態においては、光源駆動制御部７２３は、輝度値情報算出部７２２にて逐次算出された輝度値情報に基づいて各ＬＥＤモジュール２Ｒ，２Ｇ，２Ｂの輝度を調整する旨の制御指令を電源スイッチング装置２１に出力し、各ＬＥＤモジュール２Ｒ，２Ｇ，２Ｂを間欠点灯駆動させる際のデューティ比を変更させるので、表示する投影画像の明るさに応じて各ＬＥＤモジュール２Ｒ，２Ｇ，２Ｂの輝度制御が実施できる。すなわち、暗い投影画像を表示する場合には各ＬＥＤモジュール２Ｒ，２Ｇ，２Ｂを小さいデューティ比で間欠駆動させることで、各ＬＥＤモジュール２Ｒ，２Ｇ，２Ｂから射出される光量が低減し、電気光学装置４Ｒ，４Ｇ，４Ｂにて遮断される光量を少なくすることができ、電気光学装置４Ｒ，４Ｇ，４Ｂの発熱量を低減できる。また、表示する投影画像の明るさに応じて各ＬＥＤモジュール２Ｒ，２Ｇ，２Ｂの光量を制御することで、各ＬＥＤモジュール２Ｒ，２Ｇ，２Ｂの発熱量を低減できる。したがって、各ＬＥＤモジュール２Ｒ，２Ｇ，２Ｂおよび電気光学装置４Ｒ，４Ｇ，４Ｂの双方の発熱量を低減でき、プロジェクタ１内部の温度上昇を抑制できる。
【００３１】
また、光源駆動制御部７２３は、温度検出センサ２０にて検出された各ＬＥＤモジュール２Ｒ，２Ｇ，２Ｂの温度が所定の温度閾値を超えた場合に、各ＬＥＤモジュール２Ｒ，２Ｇ，２Ｂの輝度制御を実施するので、各ＬＥＤモジュール２Ｒ，２Ｇ，２Ｂの温度がプロジェクタ１内部の温度上昇に寄与する影響が少ない場合に各ＬＥＤモジュール２Ｒ，２Ｇ，２Ｂの輝度制御を実施せず、逆に、プロジェクタ１内部の温度上昇に寄与する影響が大きい場合には各ＬＥＤモジュール２Ｒ，２Ｇ，２Ｂの輝度制御を実施できる。したがって、制御部７２における処理の負荷を低減できる。
そして、光源装置２は、ＬＥＤ素子を有するＬＥＤモジュール２Ｒ，２Ｇ，２Ｂで構成されているので、例えば、高圧水銀ランプやメタルハライドランプ等の光源装置と比較して、駆動時の発熱量が小さくて済み、各ＬＥＤモジュール２Ｒ，２Ｇ，２Ｂの温度上昇をさらに抑制でき、プロジェクタ１内部の温度上昇をさらに抑制できる。また、電源スイッチング装置２１にて間欠点灯駆動させる際のデューティ比を変更することで各ＬＥＤモジュール２Ｒ，２Ｇ，２Ｂの輝度を調整するので、光源駆動制御部７２３による輝度制御を容易に実施できる。さらに、光源装置２の駆動時の消費電力が小さくて済む。さらにまた、光源装置２の小型化および軽量化が図れ、ひいてはプロジェクタ１の小型化および軽量化が図れる。
【００３２】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
前記第１実施形態では、光源駆動制御部７２３は、外部機器から映像信号入力部７１を介して入力しフレームメモリ７３に記憶された画像信号に応じて、ＯＮ／ＯＦＦ信号に切り替える際のデューティ比を電源スイッチング装置２１に変更させている。
これに対して第２実施形態では、制御装置８は、記憶部８２に記憶された情報に応じて、ＯＮ／ＯＦＦ信号に切り替える際のデューティ比を電源スイッチング装置２１に変更させる。
【００３３】
具体的に、図４は、第２実施形態における制御装置８による光源装置２および電気光学装置４の制御構造を示すブロック図である。
制御装置８は、電源スイッチング装置２１を制御してＬＥＤモジュール２Ｒ，２Ｇ，２Ｂの輝度制御を実施するとともに、記憶した内部の画像情報に対して処理を施し、この処理を施した画像情報に応じて液晶パネルモジュール４２Ｒ，４２Ｇ，４２Ｂを駆動制御する。この制御装置８は、図４に示すように、制御部８１と、記憶部８２とを備える。
記憶部８２は、例えば、ＲＯＭ等から構成され、所定の画像情報、およびこの画像情報のフレーム毎の輝度値に関する輝度値情報を関連付けて記憶する。なお、この輝度値情報は、画像情報のフレーム毎に、該フレーム内の最高輝度値および最低輝度値に基づいて予め算出された平均輝度値に関する情報であり、各平均輝度値が画像情報のフレーム毎に関連付けられている。
なお、記憶部８２は、ＲＯＭに限らず、その他の記憶手段を採用してもよい。例えば、ハードディスク装置で構成してもよく、またはＣＤ（Compact Disk）−ＲＯＭドライブ、ＤＶＤ(Digital Versatile Disk)−ＲＯＭドライブ等でＣＤ−ＲＯＭ、ＤＶＤ−ＲＯＭ等の内部情報を読み出し可能に構成したものを採用してもよい。
【００３４】
制御部８１は、前記第１実施形態で説明した制御部７２と同様に、ＣＰＵ等の演算処理装置から構成され、図示しないＲＯＭ等に格納される制御プログラムを読み込んで実行するものであり、ＬＥＤモジュール２Ｒ，２Ｇ，２Ｂの輝度制御、液晶パネルモジュール４２Ｒ，４２Ｇ，４２Ｂの駆動制御を実施する機能を有している。この制御部８１は、図４に示すように、前記第１実施形態で説明した制御部７２と同様にセンサ信号受付部７２１を備える他、駆動制御部としての光源駆動制御部８１１と、電気光学装置駆動制御部８１２とを備える。
【００３５】
光源駆動制御部８１１は、記憶部８２に記憶された輝度値情報を適宜、読み出し、読み出した輝度値情報に基づいて、各ＬＥＤモジュール２Ｒ，２Ｇ，２Ｂの輝度を調整する旨の制御指令を電源スイッチング装置２１に出力し、ＯＮ／ＯＦＦ信号に切り替える際のデューティ比を電源スイッチング装置２１に変更させる。本実施形態でも、前記第１実施形態と同様に、この光源駆動制御部８１１は、センサ信号受付部７２１で受け付けられた各温度センサ信号に対応する各ＬＥＤモジュール２Ｒ，２Ｇ，２Ｂの温度に基づいて、各ＬＥＤモジュール２Ｒ，２Ｇ，２Ｂの輝度制御を実施する。
電気光学装置駆動制御部８１２は、記憶部８２に記憶された画像情報を適宜読み出して、読み出した画像情報に対して所定の処理を施し、処理を施した画像に対応する画像信号を電気光学装置４の各液晶パネルモジュール４２Ｒ，４２Ｇ，４２Ｂに出力して所定の光学像を形成させる。この電気光学装置駆動制御部８１２における前記所定の処理としては、前記第１実施形態で説明した電気光学装置駆動制御部７２４と同様の処理であり、説明を省略する。
【００３６】
次に、第２実施形態における制御装置８による光源装置２の制御動作を説明する。
図５は、制御装置８による制御動作を説明するためのフローチャートである。
プロジェクタ１の起動後、前記第１実施形態で説明した処理Ｓ１と同様に、各温度検出センサ２０Ｒ，２０Ｇ，２０Ｂが各ＬＥＤモジュール２Ｒ，２Ｇ，２Ｂの各温度を検出する（処理Ｓ１１）。
この後、制御装置８の光源駆動制御部８１１は、前記第１実施形態で説明した処理Ｓ２と同様に、処理Ｓ１１にて検出された各ＬＥＤモジュール２Ｒ，２Ｇ，２Ｂのいずれかの温度が温度閾値を超えたか否かを判定する（処理Ｓ１２）。ここで、処理Ｓ１２において、「Ｎ」と判定した場合、すなわち、認識した各温度のうちのいずれの温度も温度閾値を超えていないと判定した場合には、前記第１実施形態と同様に、再度、処理Ｓ１１に戻る。
【００３７】
処理Ｓ１２において、「Ｙ」と判定した場合、すなわち、各ＬＥＤモジュール２Ｒ，２Ｇ，２Ｂのいずれかの温度が温度閾値を超えたと判定した場合には、光源駆動制御部８１１は、記憶部８２に記憶され、電気光学装置駆動制御部８１２に読み出される前の１フレーム分の画像情報に関連付けられた輝度値情報を読み出す（処理Ｓ１３）。
処理Ｓ１３の後、光源駆動制御部８１１は、前記第１実施形態で説明した処理Ｓ５と同様に、読み出した輝度値情報である平均輝度値に基づいて各ＬＥＤモジュール２Ｒ，２Ｇ，２Ｂの輝度を調整する旨の制御指令を電源スイッチング装置２１に出力し、ＯＮ／ＯＦＦ信号に切り替える際のデューティ比を電源スイッチング装置２１に変更させる（処理Ｓ１４）。
そして、電源スイッチング装置２１は、光源駆動制御部８１１からの制御指令に応じてＯＮ／ＯＦＦ信号に切り替える際のデューティ比を変更し、変更したＯＮ／ＯＦＦ信号を各ＬＥＤモジュール２Ｒ，２Ｇ，２Ｂに出力し、各ＬＥＤモジュール２Ｒ，２Ｇ，２Ｂは、このＯＮ／ＯＦＦ信号に応じたデューティ比にて間欠点灯する。
また、電気光学装置駆動制御部８１２は、記憶部８２に記憶され、光源駆動制御部８１１にて読み出された輝度値情報に関連付けられた１フレーム分の画像情報を順次読み出して、読み出した画像情報に応じて所定の処理を施し、処理を施した画像情報により各液晶パネルモジュール４２Ｒ，４２Ｇ，４２Ｂが駆動し、各液晶パネルモジュール４２Ｒ，４２Ｇ，４２Ｂにて前記各ＬＥＤモジュール２Ｒ，２Ｇ，２Ｂの間欠点灯により射出される光束が変調される。
そして、以上のような処理Ｓ１１〜Ｓ１４が繰り返し実施される。
【００３８】
上述した第２実施形態においては、前記第１実施形態と比較して、制御部８１は、前記第１実施形態で説明した輝度値情報算出部７２２を省略した構成となり、制御部８１の構成の簡略化および制御部８１における各ＬＥＤモジュール２Ｒ，２Ｇ，２Ｂの輝度制御を実施する際の処理の負荷を低減できる。
【００３９】
以上、本発明について好適な実施形態を挙げて説明したが、本発明は、これらの実施形態に限定されるものではなく、本発明の要旨を逸脱しない範囲において種々の改良並びに設計の変更が可能である。
前記第１実施形態では、輝度値情報算出部７２２は、フレームメモリ７３から１フレーム分の画像信号を読み出し、読み出した１フレーム内の輝度値情報を算出する。そして、光源駆動制御部７２３は、算出された輝度値情報に基づいて光源装置２の輝度制御を実施する構成を説明したが、これに限らない。例えば、輝度値情報算出部７２２は、フレームメモリ７３から２フレーム以上の画像信号を読み出し、読み出したフレーム毎の輝度値情報をそれぞれ算出する。そして、光源駆動制御部７２３は、算出された各輝度値情報に基づいて光源装置２の輝度制御を順次実施する構成を採用してもよい。
また、例えば、輝度値情報算出部７２２は、フレームメモリ７３から２フレーム以上の画像信号を読み出し、読み出した２フレーム以上の画像情報における輝度値情報を算出する。そして、光源駆動制御部７２３は、算出された輝度値情報に基づいて光源装置２の輝度制御を実施する構成を採用してもよい。
【００４０】
前記第２実施形態でも同様に、光源駆動制御部８１１は、記憶部８２に記憶された１フレーム分の画像情報に関連付けられた輝度値情報を読み出して、読み出した輝度値情報に基づいて光源装置２の輝度制御を実施していたが、これに限らず、記憶部８２に記憶された２フレーム分以上の画像情報に関連付けられた各輝度値情報を読み出して、読み出した各輝度値情報に基づいて光源装置２の輝度制御を適宜実施する構成としてもよい。
また、例えば、記憶部８２は、所定の画像情報と、該画像情報の２フレーム分以上、例えば、２フレーム毎の輝度値に関する輝度値情報を関連付けて記憶する。そして、光源駆動制御部８１１は、記憶部８２に記憶された２フレーム分毎の輝度値情報を読み出して、読み出した輝度値情報に基づいて光源装置２の輝度制御を実施する構成としてもよい。
【００４１】
前記各実施形態では、輝度値情報は、最高輝度値および最低輝度値に基づく平均輝度値として説明したが、これに限らない。例えば、少なくとも１フレームにおける全画素に対応する輝度値の平均値を輝度値情報として採用してもよい。
前記各実施形態では、光源駆動部は、電源スイッチング装置２１およびＬＥＤ電源２２として説明したが、これに限らない。例えば、光源駆動部を、ＬＥＤモジュール２Ｒ，２Ｇ，２Ｂをそれぞれ構成する光源駆動回路とする。そして、光源駆動制御部７２３，８１１が、前記各光源駆動回路にＯＮ／ＯＦＦ信号を直接出力し、各ＬＥＤモジュール２Ｒ，２Ｇ，２Ｂの間欠点灯制御を実施する構成としてもよい。
【００４２】
前記各実施形態において、光源装置２を構成する固体発光素子として、ＬＥＤ素子を採用したが、これに限らず、その他の固体発光素子、例えば、半導体レーザ等を採用してもよい。
前記各実施形態では、温度検出センサ２０は、３つのＬＥＤモジュール２Ｒ，２Ｇ，２Ｂに対応させて３つで構成されていたが、これに限らず、ＬＥＤモジュール２Ｒ，２Ｇ，２Ｂのうち少なくともいずれかのＬＥＤモジュールの温度を検出するように配置されればよい。すなわち、温度検出センサ２０は、３つに限らず、１つでも２つでもよい。
また、温度検出センサ２０は、ＬＥＤモジュール２Ｒ，２Ｇ，２Ｂの温度を検出する構成に限らず、電気光学装置４Ｒ，４Ｇ，４Ｂの温度を検出する構成としてもよく、ＬＥＤモジュール２Ｒ，２Ｇ，２Ｂおよび電気光学装置４Ｒ，４Ｇ，４Ｂの双方の温度をそれぞれ検出する構成としてもよい。この際、上述したように、温度検出センサ２０の数は、ＬＥＤモジュール２Ｒ，２Ｇ，２Ｂおよび電気光学装置４Ｒ，４Ｇ，４Ｂの数に対応させる必要はない。
【００４３】
前記各実施形態では、液晶パネルモジュール４２Ｒ，４２Ｇ，４２Ｂを構成する液晶パネルは、透過型の液晶パネルとして説明したが、これに限らず、反射型の液晶パネルとして構成してもよい。
前記各実施形態では、光源装置２は３つのＬＥＤモジュール２Ｒ，２Ｇ，２Ｂで構成され、これに対応して電気光学装置４は３つの電気光学装置４Ｒ，４Ｇ，４Ｂで構成されていたが、これに限らない。例えば、光源装置２を１つのみのＬＥＤモジュール、電気光学装置４を１つのみの電気光学装置とする構成、光源装置２を２つのＬＥＤモジュール、電気光学装置４を２つの電気光学装置とする構成、あるいは、光源装置２を４つ以上のＬＥＤモジュール、電気光学装置４を４つ以上の電気光学装置とする構成としてもよい。
前記各実施形態では、電気光学装置４は液晶パネルを含んで構成されていたが、これに限らず、デジタル・マイクロミラー・デバイス（テキサスインスツルメント社の商標）として構成してもよい。
前記各実施形態において、プロジェクタ１は、スクリーン１００を観察する側から光学像を投影するフロント投射型プロジェクタとして構成してもよく、あるいは、スクリーン１００を観察する側と反対側から光学像を投射するリア投射型プロジェクタとして構成してもよい。
【００４４】
前記各実施形態において、図２および図４に示す制御装置７，８による制御構造をプロジェクタ１に採用した構成を説明したが、これに限らない。例えば、制御装置７，８による制御構造を自動販売機、コンビニエンスストアのレジスタ、あるいは、パチンコ台、スロットマシーン、およびアーケードゲーム等の遊戯装置に適用してもよい。
【００４５】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【００４６】
本発明のプロジェクタは、内部温度の上昇を抑制できるため、ホームシアターやプレゼンテーションで利用されるプロジェクタとして有用である。
【図面の簡単な説明】
【００４７】
【図１】第１実施形態におけるプロジェクタの概略構成を模式的に示す図。
【図２】前記実施形態における制御装置による光源装置および電気光学装置の制御構造を示すブロック図。
【図３】前記実施形態における制御装置による制御動作を説明するためのフローチャート。
【図４】第２実施形態における制御装置による光源装置および電気光学装置の制御構造を示すブロック図。
【図５】前記実施形態における制御装置による制御動作を説明するためのフローチャート。
【符号の説明】
【００４８】
１・・・プロジェクタ、２・・・光源装置、４・・・電気光学装置、６・・・投射レンズ（投射光学装置）、２０・・・温度検出センサ（温度検出部）、２１・・・電源スイッチング装置（光源駆動部）、２２・・・ＬＥＤ電源（光源駆動部）、７３・・・フレームメモリ（記憶部）、８２・・・記憶部、７２２・・・輝度値情報算出部、７２３，８１１・・・光源駆動制御部（駆動制御部）。
【図１】
2005189324.tif 000003
【図２】
2005189324.tif 000004
【図３】
2005189324.tif 000005
【図４】
2005189324.tif 000006
【図５】
2005189324.tif 000007